(57)【要約】【課題】  ステージから始動口への誘導過程で他の遊技球に入賞を邪魔され、遊技者に不快感を与える不都合を解消する。また、ステージの位置を下げ、図柄表示部の大型化に対応できるようにする。【解決手段】  始動口１４に対する遊技球の入賞に応じて図柄抽選表示を行う演出図柄表示部２０と、該演出図柄表示部２０の周囲に設けられるセンター役物２１と、該センター役物２１の下部に形成され、遊技球を遊動させるステージ２４とを備えるパチンコ遊技機１において、ステージ２４に始動口１４を設ける。【選択図】        図５
2006271806.tif 000002
【特許請求の範囲】
【請求項１】
始動口に対する遊技球の入賞に応じて図柄抽選表示を行う図柄表示部と、該図柄表示部の周囲に設けられるセンター役物と、該センター役物の下部に形成され、遊技球を遊動させるステージとを備える弾球遊技機において、前記ステージに前記始動口を設けたことを特徴とする弾球遊技機。
【請求項２】
前記図柄抽選の当選時に開放される大入賞口を備えると共に、該大入賞口を前記ステージの下方に配置するにあたり、該ステージと前記大入賞口との間に、別途始動口を配置しないことを特徴とする請求項１記載の弾球遊技機。
【請求項３】
前記図柄抽選表示の作動保留記憶個数を表示する作動保留記憶表示部とは別に、前記始動口に対する遊技球の入賞を報知する始動口入賞報知手段を備えることを特徴とする請求項１又は２記載の弾球遊技機。
【請求項４】
前記始動口入賞報知手段は、前記センター役物に設けられた発光体を用いて始動口入賞報知を行うことを特徴とする請求項３記載の弾球遊技機。
【請求項５】
前記始動口入賞報知手段は、前記図柄表示部を用いて始動口入賞報知を行うことを特徴とする請求項３又は４記載の弾球遊技機。
【発明の詳細な説明】
【技術分野】
【０００１】
本発明は、パチンコ遊技機などの弾球遊技機に関し、特に、センター役物の下部にステージを備える弾球遊技機に関する。
【背景技術】
【０００２】
遊技盤面の中央部に図柄表示部を備え、該図柄表示部において複数の抽選図柄を変動及び停止させ、停止した抽選図柄が特定の組み合せになったとき、大入賞口を連続的に開放動作させるパチンコ遊技機が広く普及している。通常、この種のパチンコ遊技機は、図柄表示部の下方に始動口を備え、該始動口に対する遊技球の入賞に応じて抽選図柄の変動表示を開始するので、遊技者は、始動口への入賞を願って遊技している。
【０００３】
また、多くのパチンコ遊技機は、図柄表示部の周囲にセンター役物を備えると共に、センター役物の下部にステージを備えている。このステージは、センター役物内に進入した遊技球をステージ面で遊動させた後、始動口側へ落下させるように形成されているため、遊技者は、始動口に対する入賞を期待し、ステージ上における遊技球の挙動に注目している。
【０００４】
図１０及び図１１は、従来例に係るセンター役物及びステージを示している。これらの図に示すように、図柄表示部１００の周囲には、センター役物１０１が設けられ、その下部にステージ１０２が形成されている。このステージ１０２は、遊技球を左右に遊動させるステージ面１０３〜１０５を三段有すると共に、中段ステージ面１０４の中央部後面にステージ孔１０６の入口１０６ａを有している。このステージ孔１０６は、始動口１０７の真上近傍に形成される出口１０６ｂに通じているので、ステージ孔１０６に入った遊技球は、始動口１０７に向けて落下する。また、それ以外の遊技球は、下段ステージ面１０５の左右に形成される低部１０５ａに導かれ、ここから落下する。
【特許文献１】特開２００４−２５４９５５号公報
【発明の開示】
【発明が解決しようとする課題】
【０００５】
上記のステージ１０２において、ステージ孔１０６の出口１０６ｂから落下する遊技球は、ほとんどが始動口１０７に入賞することになる。しかしながら、図１１に示すように、入賞する直前に他の遊技球と当って、始動口１０７に入賞しないことがあり、このような場合、遊技者に不快感を与えてしまうという問題がある。
【０００６】
また、近年のパチンコ遊技機では、図柄表示部の大型化に伴い、ステージの位置が徐々に下がってきているが、通常、ステージの下方には、少なくとも始動口と大入賞口が配置されているため、更にステージの位置を下げて、図柄表示部を大型化することが困難になってきている。
【課題を解決するための手段】
【０００７】
本発明は、上記の如き実情に鑑みこれらの課題を解決することを目的として創作されたものであって、始動口に対する遊技球の入賞に応じて図柄抽選表示を行う図柄表示部と、該図柄表示部の周囲に設けられるセンター役物と、該センター役物の下部に形成され、遊技球を遊動させるステージとを備える弾球遊技機において、前記ステージに前記始動口を設けたことを特徴とする。このようにすれば、始動口への入賞がステージ上で決まるので、ステージから始動口への誘導過程で他の遊技球に入賞を邪魔され、遊技者に不快感を与える不都合を解消できる。
また、前記図柄抽選の当選時に開放される大入賞口を備えると共に、該大入賞口を前記ステージの下方に配置するにあたり、該ステージと前記大入賞口との間に、別途始動口を配置しないことを特徴とする。このようにすれば、ステージの位置を更に下げることができるので、図柄表示部の大型化に対応することができる。
また、前記図柄抽選表示の作動保留記憶個数を表示する作動保留記憶表示部とは別に、前記始動口に対する遊技球の入賞を報知する始動口入賞報知手段を備えることを特徴とする。このようにすれば、ステージに始動口を設けても、始動口に対する遊技球の入賞が明確になる。
また、前記始動口入賞報知手段は、前記センター役物に設けられた発光体を用いて始動口入賞報知を行うことを特徴とする。このようにすれば、発光体の点灯によって、始動口に対する遊技球の入賞を遊技者に確実に報知できる。
また、前記始動口入賞報知手段は、前記図柄表示部を用いて始動口入賞報知を行うことを特徴とする。このようにすれば、図柄表示部の表示によって、始動口に対する遊技球の入賞を遊技者に確実に報知できるだけでなく、専用の報知デバイスを不要にしてコストダウンが図れる。
【発明の効果】
【０００８】
以上のように本発明によれば、始動口への入賞がステージ上で決まるので、ステージから始動口への誘導過程で他の遊技球に入賞を邪魔され、遊技者に不快感を与える不都合を解消できる。しかも、ステージの下方において、始動口を配置するためのスペースが不要になるので、ステージの位置を下げて、図柄表示部の大型化に対応できる。
【発明を実施するための最良の形態】
【０００９】
次に、本発明の実施形態について、図面に基づいて説明する。図１及び図２において、１はパチンコ遊技機（弾球遊技機）であって、該パチンコ遊技機１は、パチンコ島に固定される外枠２に対して、開閉自在に取り付けられる。パチンコ遊技機１の側方隣接位置には、台間玉貸し機３が並設され、この台間玉貸し機３に、現金又はプリペイドカードを投入することにより、台間玉貸し機３又はパチンコ遊技機１から遊技球が貸し出され、パチンコ遊技が可能になる。
【００１０】
パチンコ遊技機１の正面は、パチンコ遊技領域を形成する遊技盤４と、その前方を覆う開閉自在なガラス枠５と、遊技球を溜める上皿６と、上皿６の余剰球を溜める下皿７と、遊技球の発射操作を行う発射ハンドル８と、遊技球の貸出操作を行う貸出操作部９と、効果音を発生するスピーカ１０とを備えており、また、パチンコ遊技機１の背面は、払出用の遊技球を溜める遊技球タンク１１と、遊技球タンク１１内の遊技球を上皿６に払い出す賞球払出装置１２と、遊技球を発射する発射モータ１３と、後述する各種の制御基板とを備えている。
【００１１】
図３に示すように、遊技盤４のパチンコ遊技領域には、始動口１４、入賞口１５、大入賞口１６、アウト口１７、風車１８及び遊技釘１９が配置されており、遊技盤４に発射された遊技球は、風車１８や遊技釘１９によって各口１４〜１７に誘導される。また、遊技盤４の中央部には、液晶パネルからなる演出図柄表示部（図柄表示部）２０が設けられ、その周りには、センター役物２１が設けられている。演出図柄表示部２０は、始動口１４に対する遊技球の入賞に応じて、抽選図柄を変動表示させるものであり、所定時間後に停止した抽選図柄の組み合せに基づいて大当りが決定される。そして、大当りの場合には、大入賞口１６が連続的に開放動作され、遊技者が多くの遊技球を獲得できる。
【００１２】
センター役物２１は、演出図柄表示部２０を囲むように環状に形成され、その上部には、遊技球を左右に振り分ける振分けガイド部２２が形成されている。振分けガイド部２２の中央部には、ワープ入口２３ａが形成されており、ここに入った遊技球は、ワープ通路２３及びワープ出口２３ｂを介して、センター役物２１の内側まで誘導される。尚、センター役物２１の外側から内側へ遊技球を誘導する誘導路は、上記のようなワープ通路２３に限らず、簡単な誘導口、開口、切欠きなどであってもよい。
【００１３】
図４〜図６に示すように、センター役物２１の内側下部には、ステージ２４が形成されている。ステージ２４は、ワープ通路２３などを経由してセンター役物２１内に入った遊技球を、左右に遊動させると共に、所定の誘導比率で始動口１４へ誘導するように形成されるものである。本実施形態のステージ２４は、遊技球を左右に遊動させる波状のステージ面２５〜２７を三段有すると共に、下段ステージ面２７の左右に低部２７ａを有し、ここから遊技球を落下させる。また、中段ステージ面２６の中央部後面には、従来と同様にステージ孔２６ａが形成されているが、本実施形態では、このステージ孔２６ａを始動口１４として機能させる。つまり、ステージ孔２６ａに入った遊技球は、始動口スイッチ（球検出センサ）ＳＷ１を通り、遊技盤４の裏面側に排出される。
【００１４】
このように、ステージ２４に始動口１４を設けると、始動口１４への入賞がステージ２４上で決まるので、ステージ２４から始動口１４への誘導過程で他の遊技球に入賞を邪魔され、遊技者に不快感を与える不都合がない。しかも、図３に示すように、ステージ２４の下方近傍に大入賞口１６を配置できるので、ステージ２４の位置を下げて、演出図柄表示部２０の大型化に対応することができる。なお、本発明は、ステージ２４に始動口１４を設けることに特徴があり、ステージ２４以外に別途始動口を設けることを否定しない。また、ステージ２４と大入賞口１６との間には、図７の（Ａ）及び（Ｂ）に示すように、風車１８や遊技釘１９を適宜配置することができる。また、図７の（Ｂ）に示すように、大入賞口１６を複数としてもよい。この場合、複数の大入賞口１６は、左右に並べてもよいし、上下に並べてもよい。
【００１５】
上記のように、ステージ２４に始動口１４を設ける場合には、図柄抽選表示の作動保留記憶個数を表示する作動保留記憶表示部２９とは別に、始動口１４に対する遊技球の入賞を報知する始動口入賞報知手段を設けることが好ましい。このようにすると、ステージ２４に始動口１４を設けても、始動口１４に対する遊技球の入賞が分かりづらくなるような不都合を回避できる。
【００１６】
図５に示すように、本実施形態では、センター役物２１の上部に作動保留記憶表示部２９が配置されるのに対し、センター役物２１の下部に始動口入賞報知部３０が配置されている。この始動口入賞報知部３０は、始動口１４の近傍に配置される左右一対の発光体（発光ダイオード）３０ａからなり、始動口スイッチＳＷ１による入賞検出に応じて点灯動作される。このようにすると、始動口１４の近傍で始動口１４に対する遊技球の入賞を明確に報知することが可能になる。
【００１７】
また、図５に示すように、本実施形態では、演出図柄表示部２０を用いた始動口入賞報知も行うようになっている。例えば、始動口スイッチＳＷ１が入賞を検出したとき、演出図柄表示部２０の下端中央部に水飛沫図柄や爆発図柄を表示させる。このようにすると、演出図柄表示部２０において、始動口１４に対する遊技球の入賞と連動した表示が行われ、始動口１４の入賞がより明確になる。
【００１８】
次に、パチンコ遊技機１の基板構成について、図８を参照して説明する。この図に示すように、パチンコ遊技機１は、少なくとも主基板３１と、該主基板３１からの演出コマンドに応じて、演出処理を行う周辺基板３２とを備えている。本実施形態の主基板３１は、主制御基板３３、払出制御基板３４、発射モータ制御基板３５及び特別図柄表示基板３６を含み、周辺基板３２は、演出図柄表示制御基板３７、音声制御基板３８及びランプ制御基板３９を含んでいる。
【００１９】
払出制御基板３４には、玉切れスイッチ４０、払出センサ４１、払出モータ４２などが接続されており、主制御基板３３からの払出信号に応じて、遊技球の払い出しを行うほか、台間玉貸し機３からの貸出信号に応じて、遊技球の払い出しを行う。また、発射モータ制御基板３５には、発射スイッチ（ハンドル角センサ）４３、タッチセンサ４４、発射モータ１３などが接続されており、発射スイッチ４３及びタッチセンサ４４がＯＮのとき、発射モータ１３を駆動させる。また、特別図柄表示基板３６には、特別図柄表示部４５が接続されており、主制御基板３３からの表示信号に応じて、特別図柄表示部４５に特別図柄を表示させる。
【００２０】
主制御基板３３には、始動口１４に対する遊技球の入賞を検出する始動口スイッチＳＷ１と、入賞口１５に対する遊技球の入賞を検出する入賞口スイッチＳＷ２と、大入賞口１６に対する遊技球の入賞を検出する大入賞口スイッチＳＷ３と、大入賞口１６内の特定領域における遊技球の通過を検出する特定領域スイッチＳＷ４と、大入賞口１６などを開閉させるソレノイドＳＯＬと、前述した作動保留記憶表示部２９及び始動口入賞報知部３０とが接続されている。そして、主制御基板３３は、上記各スイッチＳＷ１〜ＳＷ４の検出信号に応じて、図柄抽選処理、特別図柄表示処理、作動保留記憶表示処理、始動口入賞報知処理、大入賞口開閉処理、演出コマンド送信処理などを行う。
【００２１】
また、演出図柄表示制御基板３７には、演出図柄表示部２０が接続されており、主制御基板３３からの演出コマンドに応じて、演出図柄表示部２０に演出図柄などを表示させる。また、音声制御基板３８には、スピーカ１０が接続されており、主制御基板３３（又は演出図柄表示制御基板３７）からの演出コマンドに応じて、所定の演出音声をスピーカ１０から出音させる。また、ランプ制御基板３９には、発光表示ランプＬが接続されており、主制御基板３３（又は演出図柄表示制御基板３７）からの演出コマンドに応じて、発光表示ランプＬを点灯動作させる。
【００２２】
図９は、始動口入賞処理を示すフローチャートである。この図に示すように、主制御基板３３においては、始動口スイッチＳＷ１の検出信号に基づいて、始動口１４に対する遊技球の入賞を判断する（Ｓ１）。ここで、始動口１４に遊技球が入賞すると、作動保留記憶個数を参照し（Ｓ２）、これが４未満のときは、作動保留記憶個数をインクリメントする一方（Ｓ３）、４以上のときは、処理を終わる。また、作動保留記憶個数をインクリメントした場合は、始動口入賞報知部３０を点灯動作させると共に（Ｓ４）、演出図柄表示制御基板３７に始動口入賞通知コマンドを送る（Ｓ５）。これにより、演出図柄表示部２０においても前述した始動口入賞報知を行うことが可能になる。
【００２３】
叙述の如く構成された本実施形態によれば、始動口１４に対する遊技球の入賞に応じて図柄抽選表示を行う演出図柄表示部２０と、該演出図柄表示部２０の周囲に設けられるセンター役物２１と、該センター役物２１の下部に形成され、遊技球を遊動させるステージ２４とを備えるパチンコ遊技機１において、ステージ２４に始動口１４を設けたので、始動口１４への入賞がステージ２４上で決まることになる。これにより、ステージ２４から始動口１４への誘導過程で他の遊技球に入賞を邪魔され、遊技者に不快感を与える不都合を解消できる。
【００２４】
また、図柄抽選の当選時に開放される大入賞口１６を備えると共に、該大入賞口１６をステージ２４の下方に配置するにあたり、該ステージ２４と大入賞口１６との間に、別途始動口を配置しないようにしたので、ステージ２４の位置を下げて、演出図柄表示部２０の大型化に対応できる。
【００２５】
また、図柄抽選表示の作動保留記憶個数を表示する作動保留記憶表示部２９とは別に、始動口１４に対する遊技球の入賞を報知する始動口入賞報知部３０を備えるので、ステージ２４に始動口１４を設けても、始動口１４に対する遊技球の入賞が明確になる。また、本実施形態では、演出図柄表示部２０においても始動口入賞報知を行うので、始動口１４の入賞を遊技者に対してより確実に報知できる。
【００２６】
尚、本発明は、前記実施形態に限定されないことは勿論である。例えば、前記実施形態のパチンコ遊技機は、ゲートの通過に応じて通常図柄抽選を行う普通図柄抽選機能や、普通図柄抽選の結果に応じて始動口を拡開させる普通電動役物を具備していないが、普通図柄抽選機能や普通電動役物を設けてもよいことは言うまでもない。この場合、ステージに普通電動役物を設けて、始動口を拡開させることができる。
【図面の簡単な説明】
【００２７】
【図１】パチンコ遊技機の正面図である。
【図２】パチンコ遊技機の背面図である。
【図３】遊技盤の正面図である。
【図４】センター役物の斜視図である。
【図５】ステージの正面図である。
【図６】ステージのＡ−Ａ断面図である。
【図７】（Ａ）及び（Ｂ）は遊技盤面の配置例を示す要部正面図である。
【図８】パチンコ遊技機の基板構成を示すブロック図である。
【図９】始動口入賞処理を示すフローチャートである。
【図１０】従来例に係るセンター役物の斜視図である。
【図１１】従来例に係るステージの正面図である。
【符号の説明】
【００２８】
１      パチンコ遊技機
４      遊技盤
１４    始動口
１６    大入賞口
２０    演出図柄表示部
２１    センター役物
２４    ステージ
２５    上段ステージ面
２６    中段ステージ面
２６ａ  ステージ孔
２７    下段ステージ面
２９    作動保留記憶表示部
３０    始動口入賞報知部
ＳＷ１  始動口スイッチ
【図１】
2006271806.tif 000003
【図２】
2006271806.tif 000004
【図３】
2006271806.tif 000005
【図４】
2006271806.tif 000006
【図５】
2006271806.tif 000007
【図６】
2006271806.tif 000008
【図７】
2006271806.tif 000009
【図８】
2006271806.tif 000010
【図９】
2006271806.tif 000011
【図１０】
2006271806.tif 000012
【図１１】
2006271806.tif 000013